(57)【要約】【課題】配設されているトレーニングウエアやバッグ等の物品が発生させる臭いのみならず、その物品が収納されている空間内に既に存在している臭いをも消臭することができるパイピングテープを提供することを課題とする。【解決手段】パイピングテープ１の一側端部にはパイプ部２が形成されている。パイプ部２を形成するために、パイプ部２の内部には複数本の芯糸１０が配設されている。この芯糸１０として、消臭セルロース繊維を紡糸して得られる糸が使用されている。【選択図】　図１
0003099273.tif 000002
【実用新案登録請求の範囲】
【請求項１】
布製のテープの一側端部にパイプ部が形成されているパイピングテープにおいて、
前記パイプ部の内部に配設されている芯糸として、過酸化水素と二価鉄塩とを含む水溶液中においてセルロース繊維にメタクリル酸をグラフト共重合させることによって分子中にカルボキシル基が導入された消臭セルロース繊維を紡糸して得られる糸が使用されていることを特徴とするパイピングテープ。
【考案の詳細な説明】
【０００１】
【考案の属する技術分野】
本考案は、衣服の布地の縫い合わせ目やバッグの縁の部分に配設されるパイビングテープに関するものである。
【０００２】
【従来の技術】
図２は、トレーニングウエアの構成を示した図である。このようなトレーニングウエアＷの腕部等の布地の縫い合わせ目部分には、装飾としてパイピングテープ１が配設されているものがある。
【０００３】
図３（ａ）は、パイピングテープ１の平面構成を示したものであり、図３（ｂ）はそのＹ−Ｙ断面の構成を示したものである。
【０００４】
図３（ａ），（ｂ）に示したように、パイピングテープ１は、布製のテープの一側端部に、断面が管状になっているパイプ部２が形成されているものである。このパイプ部２の内部には、パイプ部２を形成するための複数本の芯糸３が配設されている。
【０００５】
【考案が解決しようとする課題】
図２に示したようなトレーニングウエアＷは、使用後に、ロッカー内やバッグ内に収納されることが多く、このような場合にはトレーニングウエアＷに付いた汗等により、収納してあるロッカー内やバッグ内に悪臭が籠もってしまうことがある。
【０００６】
本考案の目的は、配設されているトレーニングウエアやバッグ等の物品が発生させる臭いのみならず、その物品が収納されている空間内に既に存在している臭いをも消臭することができるパイピングテープを提供することにある。
【０００７】
【課題を解決するための手段】
以上の目的を達成するために本考案は、布製のテープの一側端部にパイプ部が形成されているパイピングテープにおいて、前記パイプ部の内部に配設されている芯糸として、過酸化水素と二価鉄塩とを含む水溶液中においてセルロース繊維にメタクリル酸をグラフト共重合させることによって分子中にカルボキシル基が導入された消臭セルロース繊維を紡糸して得られる糸が使用されていることを特徴とするものである。
【０００８】
【考案の実施の形態】
以下、図面を用いて本考案の実施形態について説明する。
【０００９】
図１は本考案の一実施形態に係るパイピングテープの構成を示した図であり、図１（ａ）はパイピングテープ１の平面構成を示したものであり、図１（ｂ）はそのＸ−Ｘ断面の構成を示したものである。
【００１０】
図１（ａ），（ｂ）に示した構成の本実施形態と、図３（ａ），（ｂ）に示した従来のパイピングテープとの異なるところは、本実施形態においては、芯糸１０が消臭セルロース繊維からなる糸で構成されていることである。その他の構成は、従来のパイピングテープと同様であるのでその説明は省略する。
【００１１】
ここで、本実施形態において、芯糸１０として用いられている消臭セルロース繊維からなる糸について説明する。
【００１２】
この消臭作用を有する糸は、特開平６−１８４９４１号公報に開示されている消臭作用を有する消臭セルロース繊維を紡糸することによって製造された糸である。
【００１３】
すなわち、この消臭作用を有する糸は、過酸化水素と二価鉄塩とを含む水溶液中においてセルロース繊維にメタクリル酸をグラフト共重合させることによって分子中にカルボキシル基が導入された消臭セルロース繊維を紡糸して得られる糸である。なお、この消臭作用を有する糸の素材としては、綿等の天然繊維の他、レーヨン等も用いることができる。
【００１４】
このような消臭セルロース繊維を紡糸して得られる糸の消臭能力は、既に行われた実験により、同じ重量の活性炭の５倍であることが確認されている。さらに、この消臭セルロース繊維の消臭能力は、通常の洗濯や乾燥させたり日光に当てたりすることにより何度でも回復することができる。
【００１５】
本実施形態で芯糸１０として使用している糸は、消臭セルロース繊維を紡糸して得られる６０番手の糸を３本撚ったもの（６０／３）で、そのデニール（ｄ）は２５６ｄである。この織糸を２４５ｍ使用すれば、縦３．６ｍ、横２．７ｍ、高さ２．５ｍである６畳部屋内の２ｐｐｍの濃度のアンモニアによる悪臭を消臭できることが既に行われた実験により確認されている。
【００１６】
本実施形態においては、パイプ部２を形成するために、芯糸１０を３６本使用している。図２に示したトレーニングウエアＷの両方の腕部に本実施形態を配設する場合、このトレーニングウエアＷの腕部の長さが８０ｃｍであるときには、トレーニングウエアＷに配設される芯糸１０の全長は、
【００１７】
０．８（ｍ）×３６（本）×２
すなわち、５７．６（ｍ）となる。
【００１８】
従って、５７．６（ｍ）÷２４５（ｍ）≒０．２４、すなわち、６畳部屋の空間の約１／４の空間内の２ｐｐｍの濃度のアンモニアによる悪臭をトレーニングウエアＷに配設されている芯糸１０によって消臭することができる。
【００１９】
このように強力な消臭作用を有する本実施形態をトレーニングウエアＷに配設した場合には、トレーニングウエアＷに付着した汗等による臭いのみならず、トレーニングウエアＷを収納するロッカー内に既に存在している臭いをも消臭することができる。また、本実施形態をバッグの縁の部分に配設すれば、そのバッグを収納する自動車のトランクや室内のタンス内に既に存在している臭いを消臭することができる。
【００２０】
なお、本実施形態においてはパイプ部２を形成する３６本の芯糸１０の全ての糸に、消臭セルロース繊維からなる糸を使用しているが、このように全ての芯糸１０に消臭セルロース繊維からなる糸を使用せずに、複数本の芯糸の一部の芯糸にのみ消臭セルロース繊維からなる糸を用いてもよい。
【００２１】
【考案の効果】
以上説明したように、本考案によれば、配設されているトレーニングウエアやバッグ等の物品が発生させる臭いのみならず、その物品が収納されている空間内に既に存在している臭いをも消臭することができるパイピングテープを提供することができる。
【図面の簡単な説明】
【図１】本考案の一実施形態の構成を示した構成図であり、（ａ）は平面構成を示した構成図、（ｂ）は断面構成を示した構成図である。
【図２】トレーニングウエアの構成を示した斜視図である。
【図３】従来のパイピングテープの構成を示した構成図であり、（ａ）は平面構成を示した構成図、（ｂ）は断面構成を示した構成図である。
【符号の説明】
１　パイピングテープ
２　パイプ部
３，１０　芯糸
【図１】
0003099273.tif 000003
【図２】
0003099273.tif 000004
【図３】
0003099273.tif 000005